【手続補正書】
【提出日】平成28年6月21日(2016.6.21)
【手続補正１】
【補正対象書類名】特許請求の範囲
【補正対象項目名】全文
【補正方法】変更
【補正の内容】
【特許請求の範囲】
【請求項１】
印刷装置と情報処理装置とが通信可能な印刷システムであって、
前記情報処理装置は、
前記印刷装置のシート収納部に設定すべきシートの属性情報を前記印刷装置に送信する送信手段と、
前記印刷装置が省電力状態である場合に、前記送信手段によって送信すべき前記属性情報を保持する保持手段とを有し、
前記送信手段は、前記印刷装置が省電力状態から復帰したことに従って、前記保持手段によって保持された前記属性情報を前記印刷装置に送信し、
前記印刷装置は、
前記送信手段によって送信された前記属性情報を受信する受信手段と、
前記受信手段によって受信された前記属性情報を前記シート収納部に収納されるシートの属性情報として設定する設定手段と、
前記設定手段によって設定された前記属性情報に基づいて印刷を実行する印刷手段と、を有することを特徴とする印刷システム。
【請求項２】
前記情報処理装置は、更に、
前記印刷装置が省電力状態である場合に、前記印刷装置が省電力状態から復帰させずに、前記送信手段によって送信すべき前記属性情報を前記保持手段に保持させるための設定をユーザから受け付ける第１の設定受付手段を有し、
前記保持手段は、前記第１の設定手段によって前記設定を受け付けた場合に、前記送信手段によって送信すべき前記属性情報を保持することを特徴とする請求項１に記載の印刷システム。
【請求項３】
前記情報処理装置は、更に、
前記印刷装置が省電力状態から復帰したことに従って、前記保持手段によって保持された前記属性情報を前記送信手段によって前記印刷装置に送信させるための設定をユーザから受け付ける第２の設定受付手段を有し、
前記送信手段は、前記第２の設定受付手段によって前記設定を受け付けた場合に、前記印刷装置が省電力状態から復帰したことに従って、前記保持手段によって保持された前記属性情報を前記印刷装置に送信することを特徴とする請求項１又は２に記載の印刷システム。
【請求項４】
前記情報処理装置は、
前記属性情報を前記印刷装置に送信するための指示を受け付ける指示受付手段を更に有し、
前記送信手段は、前記指示受付手段よって前記指示を受け付けたことに従って前記属性情報を前記印刷装置に送信することを特徴とする請求項１に記載の印刷システム。
【請求項５】
前記情報処理装置は、更に、
前記保持手段によって保持された複数のシートの属性情報を表示する表示手段と、
前記表示手段によって表示された前記複数のシートの属性情報の中から１つのシートの属性情報を選択する選択手段と、を有し、
前記送信手段は、前記印刷装置が省電力状態から復帰したことに従って、前記選択手段によって選択された前記属性情報を前記印刷装置に送信することを特徴とする請求項１乃至４のいずれか１項に記載の印刷システム。
【請求項６】
前記情報処理装置は、更に、
前記省電力状態への移行通知を前記印刷装置から受け付ける第１の通知受付手段と、
前記省電力状態からの復帰通知を前記印刷装置から受け付ける第２の通知受付手段と、を有し、
前記保持手段は、前記第１の通知受付手段によって前記移行通知を受け付けた場合に、前記送信手段によって送信すべき前記属性情報を保持し、前記送信手段は、前記第２の通知受付手段によって前記復帰通知を受け付けたことに従って、前記保持手段によって保持された前記属性情報を前記印刷装置に送信することを特徴とする請求項１乃至５のいずれか１項に記載の印刷システム。
【請求項７】
前記情報処理装置は、更に、
前記シート収納部に収納される複数のシートの属性情報を記憶する記憶手段と、
前記記憶手段に記憶された前記複数のシートの属性情報の中から前記シート収納部に設定すべき１つのシートの属性情報を決定する決定手段と、を有し、
前記送信手段は、前記決定手段によって決定された前記属性情報を前記印刷装置に送信することを特徴とする請求項１乃至６のいずれか１項に記載の印刷システム。
【請求項８】
前記送信手段は、前記印刷装置が省電力状態である場合に、前記印刷装置に印刷ジョブが投入されたことに従って、前記保持手段によって保持された前記属性情報を前記印刷装置に送信することを特徴とする請求項１乃至７のいずれか１項に記載の印刷システム。
【請求項９】
前記属性情報は、シートのサイズ、及びシートの坪量の少なくとも一つを含むことを特徴とする請求項１乃至８のいずれか１項に記載の印刷システム。
【請求項１０】
情報処理装置であって、
印刷装置のシート収納部に設定すべきシートの属性情報を前記印刷装置に送信する送信手段と、
前記印刷装置が省電力状態である場合に、前記送信手段によって送信すべき前記属性情報を保持する保持手段と、を有し、
前記送信手段は、前記印刷装置が省電力状態から復帰したことに従って、前記保持手段によって保持された前記属性情報を前記印刷装置に送信することを特徴とする情報処理装置。
【請求項１１】
情報処理装置を制御する制御方法であって、
印刷装置のシート収納部に設定すべきシートの属性情報を前記印刷装置に送信する送信工程と、
前記印刷装置が省電力状態である場合に、前記送信工程で送信すべき前記属性情報を保持する保持工程と、を有し、
前記送信工程は、前記印刷装置が省電力状態から復帰したことに従って、前記保持工程で保持された前記属性情報を前記印刷装置に送信することを特徴とする情報処理装置の制御方法。
【請求項１２】
コンピュータに、請求項１１に記載の制御方法の各工程を実行させるためのプログラム。
【手続補正２】
【補正対象書類名】明細書
【補正対象項目名】発明の名称
【補正方法】変更
【補正の内容】
【発明の名称】印刷システム、情報処理装置とその制御方法及びプログラム
【手続補正３】
【補正対象書類名】明細書
【補正対象項目名】０００１
【補正方法】変更
【補正の内容】
【０００１】
本発明は、  印刷システム、情報処理装置とその制御方法及びプログラムに関するものである。
【手続補正４】
【補正対象書類名】明細書
【補正対象項目名】０００７
【補正方法】変更
【補正の内容】
【０００７】
本発明の特徴は、印刷装置が省電力状態にある場合に、印刷装置のシート収納部に設定すべきシートの属性情報を受け付けた場合、印刷装置が省電力状態から復帰したことに従って、その属性情報を印刷装置に送信することで、印刷装置で無駄な電力が消費されることを抑えることを目的とする。
【手続補正５】
【補正対象書類名】明細書
【補正対象項目名】０００８
【補正方法】変更
【補正の内容】
【０００８】
上記目的を達成するために本発明の一態様に係る印刷システムは以下のような構成を備える。即ち、
印刷装置と情報処理装置とが通信可能な印刷システムであって、
前記情報処理装置は、
前記印刷装置のシート収納部に設定すべきシートの属性情報を前記印刷装置に送信する送信手段と、
前記印刷装置が省電力状態である場合に、前記送信手段によって送信すべき前記属性情報を保持する保持手段とを有し、
前記送信手段は、前記印刷装置が省電力状態から復帰したことに従って、前記保持手段によって保持された前記属性情報を前記印刷装置に送信し、
前記印刷装置は、
前記送信手段によって送信された前記属性情報を受信する受信手段と、
前記受信手段によって受信された前記属性情報を前記シート収納部に収納されるシートの属性情報として設定する設定手段と、
前記設定手段によって設定された前記属性情報に基づいて印刷を実行する印刷手段と、を有することを特徴とする。
【手続補正６】
【補正対象書類名】明細書
【補正対象項目名】０００９
【補正方法】変更
【補正の内容】
【０００９】
本発明によれば、印刷装置が省電力状態にある場合に、印刷装置のシート収納部に設定すべきシートの属性情報を受け付けた場合、印刷装置が省電力状態から復帰したことに従って、その属性情報を印刷装置に送信することで、印刷装置で無駄な電力が消費されることを抑えることができる。
【手続補正７】
【補正対象書類名】明細書
【補正対象項目名】００８１
【補正方法】変更
【補正の内容】
【００８１】
印刷制御装置２０１では、画像形成装置２０７が省電力状態から復帰したとき、予約されているリモートトレイアソシエーションを実施するか、実施しないかを事前に設定している。ユーザが操作部１０９を操作し、画像形成装置２０７が復帰した時のトレイアソシエーションに関する設定の実施を指示したとき、印刷制御装置２０１のＣＰＵ部１０７は表示部１１０に指示して、この画面を表示させる。２００１は、画像形成装置２０７が省電力状態から復帰したときに、リモートトレイアソシエーションの予約リストにリモートトレイアソシエーションが予約されている場合、リモートトレイアソシエーションを実施するか否かを指定するための項目である。ここでユーザが操作部１０９から「実施しない」２００２を選択してＯＫボタン２００３を押下すると、ＣＰＵ部１０７はリモートトレイアソシエーションを実施しない旨をＨＤＤ部１０５に登録して登録処理を終了する。この場合、画像形成装置２０７が省電力状態から復帰したときに、リモートトレイアソシエーションの予約リストに登録されていても、リモートトレイアソシエーションを実施しない。
【手続補正８】
【補正対象書類名】明細書
【補正対象項目名】０１９０
【補正方法】変更
【補正の内容】
【０１９０】
まずＳ３６０１で、ネットワーク転送部３２０２は、画像形成装置２０７に対して転送が必要なプロトコルによる情報の取得要求を待ち受ける。そのような要求を受信していない場合はＳ３６０６に進み、Ｓ３６０６でジョブ制御部３２０１は、終了指示がなされているかを判定する。終了指示がなされている場合はこの処理を終了し、なされていない場合は再度Ｓ３６０１の待ち受け処理に進む。